【手続補正書】
【提出日】令和3年7月26日(2021.7.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
基地局に報告するための選択されたビームの集合を特定するステップと、
ビームインデックスの集合のうちの第1のビームインデックスと関連付けられる第1の値を決定するステップであって、前記第1の値が第1のテーブルの第1のインデックス値に対応し、ビームインデックスの前記集合が、選択されたビームの前記集合の選択されたビームの数に等しい数のビームインデックスを備える、ステップと、
1つまたは複数の追加のテーブルに少なくとも一部基づいて、ビームインデックスの前記集合のうちの1つまたは複数の追加のビームインデックスと関連付けられる追加の値を決定するステップと、
前記第1の値と前記追加の値のうちの1つまたは複数とを加算して、合成インデックス値を決定するステップと、
前記基地局に、選択されるビームの前記集合を示す前記合成インデックス値を送信するステップとを備える、方法。
【請求項２】
チャネル状態情報を報告するためのコードブックのコードブックタイプの構成を受信するステップと、
前記基地局から、前記基地局の1つまたは複数のアンテナポートと関連付けられる基準信号の集合を受信するステップと、
前記コードブックタイプと、基準信号の前記集合または前記1つまたは複数のアンテナポートのうちの少なくとも1つとに少なくとも一部基づいて、ビームインデックスの前記集合を特定するステップとをさらに備え、
ビームインデックスの前記特定される集合が、前記構成されるコードブックタイプがビーム選択コードブックを備える場合は前記コードブックの符号語インデックスに対応し、または、前記構成されるコードブックタイプがポート選択コードブックを備える場合はアンテナポートインデックスに対応する、請求項1に記載の方法。
【請求項３】
前記ビーム選択コードブックの各符号語がベースシーケンスを備え、
前記ビーム選択コードブックが直交ベースシーケンスの1つまたは複数の集合を備える、請求項2に記載の方法。
【請求項４】
前記1つまたは複数の追加のテーブルの各々に記憶されている値の集合が、前記第1のテーブルの先行するテーブルまたは前記1つまたは複数の追加のテーブルに記憶されている値の先行する集合に少なくとも一部基づき、
値の前記集合のうちのある値が、値の前記集合の先行する値と値の前記先行する集合の先行するテーブル値の合計であり、前記先行する値および前記先行するテーブル値が同じビームインデックスと関連付けられることがある、請求項1に記載の方法。
【請求項５】
前記第1のテーブルおよび前記1つまたは複数の追加のテーブルの各テーブルが同じ長さを有し、各テーブルに対するアクティブなエントリの数が、アンテナポートの構成される数、ビームの構成される数、またはこれらの組合せに少なくとも一部基づく、請求項1に記載の方法。
【請求項６】
アンテナポートの第1の構成される数、ビームの構成される数、またはこれらの組合せを示す第1の構成を、前記基地局から受信するステップと、
アンテナポートの前記第1の構成される数、ビームの構成される数、またはこれらの組合せに少なくとも一部基づいて、前記第1のテーブルおよび前記1つまたは複数の追加のテーブルの各テーブルに対するアクティブなエントリの第1の集合を選択するステップとをさらに備える、請求項1に記載の方法。
【請求項７】
アンテナポートの第2の構成される数、ビームの構成される数、またはこれらの組合せを示す第2の構成を前記基地局から受信するステップであって、アンテナポートの前記第2の構成される数、ビームの構成される数、またはこれらの組合せが、アンテナポートの前記第1の構成される数、ビームの構成される数、またはこれらの組合せより大きい、ステップと、
アンテナポートの前記第2の構成される数、ビームの構成される数、またはこれらの組合せに少なくとも一部基づいて、前記第1のテーブルおよび前記1つまたは複数の追加のテーブルの各テーブルに対するアクティブなエントリの第2の集合を選択するステップであって、アクティブなエントリの前記第1の集合がアクティブなエントリの前記第2の集合の部分集合である、ステップとをさらに備える、請求項6に記載の方法。
【請求項８】
アクティブなエントリの数が、チャネル状態情報基準信号を送信するアンテナポートの構成される数、ビームの構成される数、またはこれらの組合せに少なくとも一部基づく、請求項1に記載の方法。
【請求項９】
選択のためのビームの構成される数を示す構成を前記基地局から受信するステップであって、選択されるビームの前記数が、選択のためのビームの前記構成される数に等しい、ステップと、
選択のためのビームの前記構成される数に少なくとも一部基づいて、ビームインデックスの前記集合を選択するステップとをさらに備える、請求項1に記載の方法。
【請求項１０】
選択のためのビームの前記構成される数を示す第1の構成を前記基地局から受信するステップと、
選択のためのビームの前記構成される数に等しい数のテーブルを備えるテーブルの第1の集合を選択するステップとをさらに備え、前記第1の値および1つまたは複数の追加の値を決定するステップが、テーブルの前記第1の集合に少なくとも一部基づく、請求項9に記載の方法。
【請求項１１】
選択のためのビームの前記数より大きい選択のためのビームの第2の構成される数を示す第2の構成を前記基地局から受信するステップと、
選択のためのビームの前記第2の構成される数に等しい第2の数のテーブルを備えるテーブルの第2の集合を選択するステップとをさらに備え、テーブルの前記第1の集合がテーブルの前記第2の集合の部分集合である、請求項10に記載の方法。
【請求項１２】
1つまたは複数の追加のビームインデックスに対する前記追加の値が、前記1つまたは複数の追加のテーブルの先行するテーブルおよび現在のテーブルに少なくとも一部基づく、請求項1に記載の方法。
【請求項１３】
ビームインデックスの前記集合のうちのある追加のビームインデックスより1小さい先行するビームインデックスを特定するステップと、
前記先行するテーブルから、前記先行するビームインデックスと関連付けられる第1の入力値を特定するステップと、
前記現在のテーブルから、前記先行するビームインデックスと関連付けられる第2の入力値を特定するステップと、
前記第1の入力値および前記第2の入力値を合計して、前記追加のビームインデックスに対する前記追加の値を取得するステップとをさらに備える、請求項12に記載の方法。
【請求項１４】
ビームインデックスの前記集合のうちのあるビームインデックスを特定するステップをさらに備え、前記ビームインデックスを特定するステップが、
第1の次元に対応する第1のサブビームインデックスを特定するステップと、
第2の次元に対応する第2のサブビームインデックスを特定するステップと、
前記第1のサブビームインデックスおよび前記第2のサブビームインデックスに少なくとも一部基づいて前記ビームインデックスを計算するステップとを備え、
前記ビームインデックスを計算するステップがさらに、
前記第1のサブビームインデックスを前記第2の次元のサイズと乗じて中間値を取得するステップと、
前記中間値に前記第2のサブビームインデックスを加算して前記ビームインデックスを取得するステップとを備える、請求項1に記載の方法。
【請求項１５】
基準信号の前記集合に少なくとも一部基づいてコードブックから1つまたは複数のビームを選択するステップをさらに備え、ビームインデックスの前記集合を特定するステップが、前記選択された1つまたは複数のビームに少なくとも一部基づく、請求項1に記載の方法。
【請求項１６】
ワイヤレス通信のための方法であって、
ユーザ機器(UE)から、選択されるビームの集合を示す合成インデックス値を受信するステップと、
現在のテーブルおよび前記合成インデックス値に少なくとも一部基づいて、選択されるビームの前記集合のうちの第1の選択されるビームに対する最大のビームインデックスを決定するステップと、
1つまたは複数の追加のテーブルおよび更新された合成インデックス値に少なくとも一部基づいて、選択されるビームの前記集合のうちの各々の追加の選択されるビームに対する追加のビームインデックスを決定するステップとを備える、方法。
【請求項１７】
請求項1から16のいずれか一項に記載の方法を実行するための手段を備えるワイヤレス通信のための装置。